(57)【要約】      （修正有）【課題】提げ手を所定の位置で安定的に保持できる容器の提げ手取付構造を提供する。【解決手段】一対の提げ手を衝突することなく内倒状態とすることができる容器において、提げ手２Ｂの両端に支持軸３を内方に向けて突出して形成するとともに、支持軸の内方端に鍔部を備え、鍔部には支持軸を軸支する支持板５に向けて突出する係合突起７を備え、支持板の対向面に係合突起がクリック状態に係合し提げ手を起こした位置よりも外周に傾けた位置に保持する保持突起１２を形成した。提げ手を略直立した状態から外方に向けて倒れても傾いた状態でいったん止めることができ、倒れ切ることを防止できる。【選択図】図５
0003223591.tif 000002
【実用新案登録請求の範囲】
【請求項１】
上縁部に一定間隔を隔てて一対の提げ手の両端を回動自在に軸支し、前記一対の提げ手は両脚部間の幅を異ならせることによって前記提げ手を衝突することなく内倒状態とすることができる容器において、
前記提げ手の両端に支持軸を内方に向けて突出して形成するとともに、該支持軸の内方端に鍔部を備え、
前記上縁部に前記支持軸をそれぞれ軸支するための支持板を立設し、該支持板は、前記支持軸に嵌合し前記提げ手を回動自在に軸支する嵌合孔を備え、
前記鍔部には前記支持板に向けて突出する係合突起を備え、
前記支持板の対向面に前記係合突起がクリック状態に係合し前記提げ手を起こした位置よりも外周に傾けた位置に保持する保持突起を形成したことを特徴とする容器の提げ手構造。
【請求項２】
支持板は、嵌合孔に連通し提げ手を倒した状態で支持軸を通過させるための内方に向けた挿入口を備え、
保持突起は、前記挿入口の下端から放射状に配置することを特徴とする請求項１に記載の容器の提げ手構造。
【請求項３】
一対の提げ手は両脚部が上縁部の内方で支持される第一の提げ手と、両脚部が上縁部の外方で支持される第二の提げ手とからなることで両脚部間の幅を異ならせたものであって、
内倒状態において、第一の提げ手の脚部基端部分の側面が前記上縁部に支持され、第二の提げ手の脚部の側面が前記上縁部に載置されるものであり、
第一の提げ手の内倒状態で脚部を内方から支持する支持凸部を形成したことを特徴とする請求項１または２のいずれかに記載の容器の提げ手構造。
【請求項４】
第一の提げ手の脚部基端部分から把持部に至る脚部連結部分を有し、
前記脚部連結部分は、支持凸部に係合する凹所を有することを特徴とする請求項３に記載の容器の提げ手構造。
【請求項５】
容器の外壁は内方に向けて突出する複数の縦長リブを有し、支持凸部は前記縦長リブを上縁部の平面部から上方に延長したことを特徴とする請求項３または４のいずれかに記載の容器の提げ手構造。
【考案の詳細な説明】
【技術分野】
【０００１】
本考案は、主として上方部分が広く下方に向けて狭まるような、かごなどの運搬用の容器における提げ手構造に関する。
【背景技術】
【０００２】
従来から、かごなどの容器であって、スーパーマーケットなどで買い物かごとして利用されている容器では、容器の上縁部に一定間隔を隔てて同じ横幅寸法の、一対の略門形の提げ手の両端を回動自在に軸支し、二つの門形の提げ手を持つことによって安定的に提げることができるようにしている。特許文献１に示す先行技術では、提げ手に形成した係合突起を容器の提げ手を軸支する支持板の対向面に形成した係止突起に係合することによって提げ手を起こした状態に保持している。
【先行技術文献】
【特許文献】
【０００３】
【特許文献１】実用新案登録第３１５７０２２号公報
【考案の概要】
【考案が解決しようとする課題】
【０００４】
ところが、このような提げ手取付構造では、提げ手を起こした状態で保持できるものの、より安定的に提げ手を保持てきるものが望まれていた。すなわち、提げ手を略直立させた状態で保持できるものであるが、容器に入れた収容物を取り出すときに外方に少し倒すと、保持状態が解除されて容器の上縁部にまで提げ手が倒れてしまう。
【０００５】
また、特許文献１に記載の考案は、提げ手を容器の外周側に倒す外倒状態のみならず、内側に倒す内倒状態とすることができるが、この内倒状態で提げ手が撓んでしまって容器の中に嵌まり込んでしまうことも懸念されている。このような状態を解消する必要があった。
【０００６】
そこで、本考案は、提げ手を所定の位置で安定的に保持できる容器の提げ手取付構造を提供するものである。
【課題を解決するための手段】
【０００７】
本考案の容器の提げ手取付構造は、上縁部に一定間隔を隔てて一対の提げ手の両端を回動自在に軸支し、前記一対の提げ手は両脚部間の幅を異ならせることによって前記提げ手を衝突することなく内倒状態とすることができる容器において、前記提げ手の両端に支持軸を内方に向けて突出して形成するとともに、該支持軸の内方端に鍔部を備え、前記上縁部に前記支持軸をそれぞれ軸支するための支持板を立設し、該支持板は、前記支持軸に嵌合し前記提げ手を回動自在に軸支する嵌合孔を備え、前記鍔部には前記支持板に向けて突出する係合突起を備え、前記支持板の対向面に前記係合突起がクリック状態に係合し前記提げ手を起こした位置よりも外周に傾けた位置に保持する保持突起を形成したことを特徴とする。
【０００８】
また、支持板は、嵌合孔に連通し提げ手を倒した状態で支持軸を通過させるための内方に向けた挿入口を備え、保持突起は、前記挿入口の下端から放射状に配置することが好ましい。
【０００９】
また、一対の提げ手は両脚部が上縁部の内方で支持される第一の提げ手と、両脚部が上縁部の外方で支持される第二の提げ手とからなることで両脚部間の幅を異ならせたものであって、内倒状態において、第一の提げ手の脚部基端部分の側面が前記上縁部に支持され、第二の提げ手の脚部の側面が前記上縁部に載置されるものであり、第一の提げ手の内倒状態で脚部を内方から支持する支持凸部を形成することが好ましい。
【００１０】
また、第一の提げ手の脚部基端部分から把持部に至る脚部連結部分を有し、前記脚部連結部分は、支持凸部に係合する凹所を有することが好ましい。
【００１１】
また、容器の外壁は内方に向けて突出する複数の縦長リブを有し、支持凸部は前記縦長リブを上縁部の平面部から上方に延長することが好ましい。
【考案の効果】
【００１２】
請求項１に記載の考案により、提げ手を略直立した状態から外方に向けて倒れても傾いた状態でいったん止めることができ、倒れ切ることを防止できる。そして、傾いた状態に保持して、開口領域により中央の収納物の出し入れを容易に行うことができる。
【００１３】
請求項２に記載の考案により、挿入口の下方から放射状に保持突起を形成することにより、保持突起の係合状態を継続し易くして提げ手の倒れ込みを防止することができる。そして、支持軸を嵌合孔に嵌合するときに、係合突起が保持突起に接触して支持軸を挿入口に案内することができて、提げ手を支持板に容易に取り付けることができる。
【００１４】
請求項３に記載の考案により、第一の提げ手を内倒した状態で撓むことを防止することができ、内倒状態で提げ手が容器内部に落ち込むことがないようにすることができる。
【００１５】
請求項４に記載の考案により、提げ手と支持凸部との係合をし易くし、強度を維持しつつ提げ手の収納空間側への突出を抑えることができる。
【００１６】
請求項５に記載の考案により、容器の壁部を補強する補強リブと支持凸部とを兼ねることにより簡易な構成で内倒状態の提げ手の撓みを防止することができる。
【図面の簡単な説明】
【００１７】
【図１】本考案の実施形態の容器の正面図である。
【図２】提げ手を外倒した状態の平面図である。
【図３】提げ手を内倒した状態の平面図である。
【図４】本体のＡ−Ａ線断面図である。
【図５】図２の支持軸周辺を拡大したＢ−Ｂ線端面図である。
【図６】図５のＣ−Ｃ線端面図である。
【考案を実施するための形態】
【００１８】
本考案の実施の形態について説明する。本説明において、図１の第一の提げ手２Ａがある側（図１の右側）を右側とし、本体１の第二の提げ手２Ｂがある側（図１の左側）を左側とし、この水平方向を左右方向として説明する。また、図１の紙面手前側を前方、紙面奥側を後方とし、容器の中央に向かう左右方向を内方、その反対側を外方として説明する。
【００１９】
図１、２に示すように、本考案の容器１は、左右に２つの提げ手２Ａ、２Ｂが配置されるバスケット形態である。容器１は上方を開放し内部を収納空間とした四方の壁部１ａと底面を有する箱形状とし、本実施形態では上方部分における水平方向に比して、下方における同方向が若干狭まるように形成している。容器１の壁部１ａには、図４に示すように、その内面に沿う複数の縦長リブ１７、１７と、縦長リブ１７の間に位置する複数のスリット１８、１８とを形成している。なお、後述の支持凸部１６を有する縦長リブ１７は上縁部８の平面部８ａより上方に突出するが、その他の縦長リブ１７はその上端が上縁部８の平面部８ａと面一となっている。
【００２０】
容器１の上縁部８は、図２乃至４に示すように、容器１の上開口から水平方向で外方に広がる口の字形状の平面部８ａと、平面部８ａの外周端の全体から立ち上がる外壁部８ｂとからなるフランジ形状としている。上縁部８は、支持板５、６を配置して提げ手２Ａ、２Ｂを回動可能に軸支する。
【００２１】
本実施形態の容器は、図２に示すように提げ手２Ａ、２Ｂを外方に倒した状態では左右の平面部８ａに載置して配置可能とし（外倒状態）、図３に示すように提げ手２Ａ、２Ｂを内方に衝突することなく倒すことができる。なお、この内方に倒した状態（内倒状態）は、第一の提げ手２Ａをまず内方に倒し、さらに第二の提げ手２Ｂを第一の提げ手２Ａと上方から見て交差するように内方に倒して行う。この内倒状態では上方に他の容器１を置いたり、別の容器等を置くことができるようにしている。
【００２２】
先ず、本実施形態の提げ手２Ａ、２Ｂの形態について説明する。図２に示すように、提げ手２Ａ、２Ｂは、前後方向に長尺な把持部２０と、把持部２０の側端からそれぞれ延設した脚部２１、２１とからなる。提げ手２Ｂの把持部２０の横幅は提げ手２Ａの把持部２０の横幅よりも小さくしている。脚部２１の延設寸法（起こした状態の上下方向の寸法）は提げ手２Ａと提げ手２Ｂとで同じ長さとしている。
【００２３】
また、第一の提げ手２Ａの脚部２１、２１は、長手方向の中央位置に若干内方に屈曲する屈曲部２２を有する。この屈曲部２２は、脚部２１、２１を屈曲して基端側より上端側を内側に位置するようにしている。脚部２１、２１は基端側から屈曲部２２までを脚部基端部分とし、これより上端側を脚部連結部分としている。脚部連結部分の内側面を抉るように凹ませた凹所２３を有し、この凹所２３により後述の支持凸部１６と係合して撓みを防止している。
【００２４】
容器１の上縁部８の平面部８ａにそれぞれ支持板５、５、６、６を中心から等間隔の位置に立設する。支持板５、５は平面部８ａの外側（奥側）に位置し、支持板６、６は内側（手前側）に位置している。そのため、支持板６、６は、支持板５、５よりも内側にずらして位置することになる。支持板５は提げ手２Ｂの下端部（支持軸３、３）をそれぞれ回動自在に軸支し、支持板６は提げ手２Ａの下端部（支持軸３、３）をそれぞれ回動自在に軸支している。
【００２５】
支持板５、６は支持軸３を安定的に保持することができる厚みの板状とし、板面に貫通して支持軸３を軸支する嵌合孔９と、嵌合孔９に連通して左右方向の内方に向けて開口する挿入口１０とを備えている。提げ手２Ａ、２Ｂの支持軸３を挿入部１０から嵌合穴９に通して軸支することができる。
【００２６】
支持板５、５が内側に、支持板６、６が外側に配置され、各々提げ手２Ａ、２Ｂを軸支することにより、上述の内倒状態と外倒状態にすることができる。つまり、図２に示すように、提げ手２Ａ、２Ｂを外側に倒した場合、上縁部８の平面部８ａに提げ手２Ａ、２Ｂが収まる。一方、図１に示すように、提げ手２Ａ、２Ｂの両方を内側に倒し、把持部２０、２０を併せて通常の提げ手のように使用者が把持することが可能になる。また、図１に点線で示すように、提げ手２Ｂのみを回動して内側に倒し、その後に提げ手２Ａのみを回動して内側に倒すことにより、容器１の収容部分の上方で提げ手２Ａ、２Ｂがクロスして重なる。
【００２７】
容器１は、図４に示すように、上縁部８から縦長リブ１７を延長するようにして、平面部８ａの内側縁から支持凸部１６、１６を突出形成している。図３に示すように、この支持凸部１６、１６は、内側に倒した第一の提げ手２Ａの凹所２３に係合する。この係合により内倒状態で提げ手２Ａの水平方向（前後方向）へのガタツキを防止することができる。支持凸部１６、１６がない状態では提げ手２Ｂがガタついて、最悪の場合は歪んでしまい、容器１の収容部分に落ち込んでしまう可能性があるが、この支持凸部１６、１６によりこれらを解消することができる。
【００２８】
次に提げ手２Ａ、２Ｂの支持状態について説明する。提げ手２Ａ、２Ｂは、図２、６に示すように、脚部２１、２１の先端から支持軸３、３を突出し、容器１の上縁部８に形成された支持板５、６に軸支している。さらに支持軸３、３の内方端には広幅円盤状の鍔部４、４を設けて抜け止めている。
【００２９】
鍔部４は、脚部２１の延設方向（下方）に沿って延長する突出部４ａを有している。突出部４ａは下方に向けて厚み寸法が狭まるような延長体であり、下端部には外側に向けて突出する係合突起７を有している。係合突起７は支持軸３の中心から放射方向に向かうように突出形成している。係合突起７の上端と支持軸３との間に隙間を有し、突出部４ａを弾性変形可能としている。
【００３０】
支持板５、６の下方には、後述する保持突起１２、係止突起１３、抑え突起１４が形成される凹部１１が形成される。凹部１１は突出部４ａの回動軌道に相当する部分に位置している。
【００３１】
凹部１１には、係合突起７が係合する保持突起１２、係止突起１３、抑え突起１４を形成され、これらの突起が係合突起７と係合することにより提げ手２Ａ、２Ｂの自重による回動力に耐えて提げ手２Ａ、２Ｂを所定位置（姿勢）に保持可能としている。保持された提げ手２Ａ、２Ｂは少し力を入れて保持突起１２、係止突起１３、抑え突起１４を弾性的に乗り越えさせることによって、左右方向に無理なく回動することを可能としている。つまり、係合突起７と保持突起１２、係止突起１３、抑え突起１４との係合は無理のない弾性力を実現するバネ構造としている。
【００３２】
以下、保持突起１２、係止突起１３、抑え突起１４について提げ手２Ｂ側を例示して説明し、提げ手２Ａ側については提げ手２Ｂ側と左右対称に形成されそれぞれ同じ符号を付して重複する説明は省略する。
【００３３】
係止突起１３は円弧状断面の筋状であって嵌合孔９の中心から放射方向に形成して、その前後方向に突出する寸法（突出高さ）は係合突起７の弾発力によって決定され、例えば係合突起７の突出寸法の半分としている。
【００３４】
係止突起１３は嵌合孔９の真下よりも若干左右方向内側（右側）に配置して、略垂直に起こした提げ手２Ｂを保持している。つまり、係合突起７を左右方向外側（左側）から係止突起１３に当接することにより、クリック状態で係止して提げ手２Ｂが前方に倒れ込むことを防止する。
【００３５】
保持突起１２は係止突起１３と同じ形状・同じ突出高さの筋状に形成している。保持突起１２は係止突起１３よりも右側に所定角度（約３０度）ずれて、挿入口１０の下方に配置して、垂直に起こした状態よりも左側に傾けた提げ手２Ａを保持している。つまり、支持軸３の真下よりも右側に回動した係合突起７が保持突起１２に当接することにより、クリック状態で係止して約３０度外方に傾けた提げ手２Ａが更に外方に倒れ込むことを防止する。しかも、この保持突起１２が挿入口１０の下方に放射状に配置されることにより、支持軸３を挿入口１０に誘導できるという効果も奏する。
【００３６】
抑え突起１４は係止突起１３と同じ形状・同じ突出高さの筋状に形成している。抑え突起１４は係止突起１３よりも左側に所定角度（約３０度）ずれて、回動中心を通る垂線を基準として保持突起１２と左右対称の位置に配置して、内方に傾けた提げ手２Ａ、２Ｂを保持している。つまり、左側に回動した係合突起７が抑え突起１４に当接することにより、クリック状態で係止して約３０度内方に傾けた提げ手２Ａ、２Ｂが更に内方に倒れ込むことを防止する。
【符号の説明】
【００３７】
１…容器、１ａ…壁部、２Ａ、２Ｂ…提げ手、３…支持軸、４…鍔部、５…支持板（外側）、６…支持板（内側）、７…係合突起、８…上縁部、８ａ…平面部、８ｂ…外壁部、９…嵌合孔、１０…挿入口、１２…保持突起、１３…係止突起、１４…抑え突起、１６…支持凸部、１７…縦長リブ、２０…把持部、２１…脚部、２２…屈曲部、２３…凹所。
【図１】
0003223591.tif 000003
【図２】
0003223591.tif 000004
【図３】
0003223591.tif 000005
【図４】
0003223591.tif 000006
【図５】
0003223591.tif 000007
【図６】
0003223591.tif 000008